(57)【特許請求の範囲】
【請求項１】
容器口部に上方から装着されるキャップ本体と、キャップ本体に上方から装着される蓋体と、蓋体に上方から装着されるオーバーキャップとからなり、容器口部の開口部に対応する第一注出口がキャップ本体に形成され、第一注出口よりも開口径の小さい第二注出口が蓋体に形成され、第二注出口を閉鎖する部分がオーバーキャップに形成されていて、キャップ本体に嵌着される蓋体がヒンジ部を介してキャップ本体に連結されている注出口付きキャップにおいて、オーバーキャップが蓋体に螺着されると共に、キャップ本体と蓋体とがその周方向で相対的に変位しないように、キャップ本体と蓋体のそれぞれに周方向で係合する係止部が形成されていることを特徴とする注出口付きキャップ。
【発明の詳細な説明】
【技術分野】
【０００１】
本発明は、容器内の内容物を注出するための注出口を有するキャップに関し、特に、キャップを構成する複数の部材に形成された開口径の異なる複数の注出口によって内容物の注出量を選択的に変更できるような注出口付きキャップに関する。
【背景技術】
【０００２】
容器内の内容物を注出するための注出口を有するキャップとして、キャップを構成する複数の部材に対し、開口径の異なる注出口をそれぞれ形成して、何れかの注出口を選択的に使用することで、内容物の注出量を選択的に変更できるように、使い勝手を改善した注出口付きキャップが従来から提案されている。
【０００３】
そのような注出口付きキャップとして、下記の特許文献１には、「容器の口部に固定保持され内容物を注出する注出口を有する基体と、この基体にヒンジを介して揺動可能に保持され該注出口を開閉する蓋体からなる注出栓において、前記蓋体の天面に、注出口を通して注出する内容物よりも少ない量にして内容物を注出する吐出口を設けたことを特徴とする注出栓。」についての具体的な構成が記載されている。
【特許文献１】特開２００５−４１５０６号公報
【発明の開示】
【発明が解決しようとする課題】
【０００４】
ところで、上記のような従来公知の注出口付きキャップでは、「基体」の「注出口」とは開口径の異なる注出口である「蓋体」の「吐出口」に対して、この「吐出口」を封止（閉鎖）するために、容器の肩部に螺着（螺合により装着）される「オーバーキャップ」を使用しているが、そのような「オーバーキャップ」では、注出量の多い「基体」の「注出口」から内容物を注出する場合に、先ず「オーバーキャップ」を取り外してから、更に「蓋体」を開ける必要があり、キャップの開閉に手間がかかるという問題がある。
【０００５】
これに対して、例えば、「オーバーキャップ」のサイズを小さくして、容器の肩部に螺着するのではなく、「蓋体」に螺着するということも考えられる。すなわち、そのようにすることで、「基体」の「注出口」を開ける際に、「基体」に嵌着（嵌合により装着）された「蓋体」から「オーバーキャップ」を取り外すことなく、「オーバーキャップ」を一体的に螺着した状態で「蓋体」を開けることができる。
【０００６】
しかしながら、注出量の少ない「蓋体」の「吐出口」から内容物を注出する場合には、「蓋体」に螺着された「オーバーキャップ」を開栓方向に回動して「蓋体」の「吐出口」を開ける際に、「オーバーキャップ」に加えられた回動力が「オーバーキャップ」と「蓋体」との摩擦力により「蓋体」に作用して、「基体」に対して「蓋体」が周方向に回動しようとすることで、「基体」と「蓋体」とを連結する「ヒンジ」に回動力が加わって、「ヒンジ」を変形させたり破損させたりするという問題が生じることとなる。
【０００７】
本発明は、上記のような問題の解消を課題とするものであり、具体的には、キャップを構成する複数の部材に開口径の異なる注出口がそれぞれ形成された注出口付きキャップについて、複数の注出口をそれぞれ容易に開けることができて、しかも、注出口を有する各部材同士を連結するヒンジ部に変形や破損が生じないようにすることを課題とするものである。
【課題を解決するための手段】
【０００８】
本発明は、上記のような課題を解決するために、容器口部に上方から装着されるキャップ本体と、キャップ本体に上方から装着される蓋体と、蓋体に上方から装着されるオーバーキャップとからなり、容器口部の開口部に対応する第一注出口がキャップ本体に形成され、第一注出口よりも開口径の小さい第二注出口が蓋体に形成され、第二注出口を閉鎖する部分がオーバーキャップに形成されていて、キャップ本体に嵌着される蓋体がヒンジ部を介してキャップ本体に連結されている注出口付きキャップにおいて、オーバーキャップが蓋体に螺着されると共に、キャップ本体と蓋体とがその周方向で相対的に変位しないように、キャップ本体と蓋体のそれぞれに周方向で係合する係止部が形成されていることを特徴とするものである。
【発明の効果】
【０００９】
上記のような本発明の注出口付きキャップによれば、キャップ本体の第一注出口を開ける際には、蓋体からオーバーキャップを取り外すことなく、キャップ本体に対してヒンジ部を回動軸として蓋体を回動させることにより、オーバーキャップを一体的に螺着した状態で蓋体を動かせて第一注出口を開けることができる。また、蓋体の第二注出口を開ける際には、蓋体に螺着されたオーバーキャップを開栓方向に回動することで第二注出口を開けることとなるが、その際に、オーバーキャップに加えられた回動力が蓋体に作用しても、キャップ本体と蓋体のそれぞれに周方向で係合する係止部が形成されていることから、キャップ本体と蓋体とがその周方向で相対的に変位する（回動する）のを確実に防止することができて、キャップ本体と蓋体を連結するヒンジ部が変形したり破損したりするようなことは全くない。
【発明を実施するための最良の形態】
【００１０】
キャップを構成する複数の部材に開口径の異なる注出口がそれぞれ形成された注出口付きキャップについて、複数の注出口をそれぞれ容易に開けることができて、しかも、注出口を有する各部材同士を連結するヒンジ部に変形や破損が生じないようにするという目的を、最良の形態として以下の実施例に具体的に示すように、容器口部に上方から装着されるキャップ本体と、キャップ本体に上方から装着される蓋体と、蓋体に上方から装着されるオーバーキャップとからなり、容器口部の開口部に対応する第一注出口がキャップ本体に形成され、第一注出口よりも開口径の小さい第二注出口が蓋体に形成され、第二注出口を閉鎖する部分がオーバーキャップに形成されていて、キャップ本体に嵌着される蓋体がヒンジ部を介してキャップ本体に連結されている注出口付きキャップにおいて、オーバーキャップを蓋体に螺着すると共に、キャップ本体と蓋体とが周方向で相対的に変位しないように、キャップ本体と蓋体のそれぞれに周方向で係合する係止部を形成するということで実現した。
【００１１】
なお、本発明の注出口付きキャップは、キャップ軸線方向で上下に重なる複数（３個）の部材により構成されるものであって、キャップを構成する各部材は、ポリエチレンやポリプロピレン等の周知のキャップ用樹脂材料から形成されており、最上部に位置する閉鎖用部材（オーバーキャップ）を除く注出用部材（２部材）には、開口径の異なる注出口がそれぞれ形成されていて、注出口の開口径に応じて内容物の注出量を選択的に変更できるようになっている。そのような本発明の注出口付きキャップの一実施例について以下に説明する。
【実施例】
【００１２】
本実施例の注出口付きキャップは、チューブ容器の口部に装着されるものであって、図４に示すように、容器口部２に上方から装着されるキャップ本体３と、キャップ本体３に上方から装着される蓋体４と、蓋体４に上方から装着されるオーバーキャップ５とからなるもので、キャップ本体３には、容器口部２の開口部に対応するように第一注出口３１が形成されており、蓋体４には、第一注出口３１よりも開口径の小さい第二注出口４１が形成されていて、オーバーキャップ５には、第二注出口４１を閉鎖するための栓状凸部５１が形成されている。
【００１３】
すなわち、キャップ本体３には、図３（Ｃ）に示すように、容器口部２の開口径よりも小さい開口径を有する注出口（第一注出口）３１が中央部に開設された環状板状の天板部３２に対して、天板部３２の外縁部から下方に延びるように外筒部３３が形成され、外筒部３３と同心的に天板部３２の下面から垂下するように内筒部３４が形成されている。そして、天板部３２の外縁上面（外筒部３３の外面との角部）には段部３５が形成されており、内筒部３４の内面には、容器口部２の外面のネジ部２１と螺合するネジ部３６が形成されていて、このネジ部３６により、キャップ本体３は、容器口部２に対して螺合により着脱自在に装着されることとなる。
【００１４】
また、キャップ本体３の天板部３２の注出口３１の縁部には、上方に延びる第一ガイド筒部３７と、下方に延びる第一シール筒部３８とがそれぞれ形成されていて、第一シール筒部３８の外面は、容器口部２の開口部の内面と密接するようになっている。さらに、図示していないが、キャップ本体３の内筒部３４の内面の下端付近と、容器口部２のネジ部２１の下方とに、閉栓方向に回転させた際には互いに乗り越えることができるが、開栓に回転させた際には互いに係止されるような鋸刃状の係止突起が対向するようにそれぞれ形成されていて、それにより、容器口部２に対するキャップ本体３の開栓方向への回転を抑制するラチェット機構のような廻り止め機構を構成している。
【００１５】
蓋体４には、図３（Ｂ）に示すように、キャップ本体３の注出口（第一注出口）３１の開口径よりも小さい開口径を有する注出口（第二注出口）４１が中央部に開設された環状板状の天板部４２に対して、天板部４２の外縁部で上下方向に延びるように外周筒部４３が形成されている。そして、蓋体４の外周筒部４３の外面にはネジ部４４が形成されており、さらに、この外周筒部４３の下端から半径方向外方に張り出すように、キャップ本体３の段部３５に当接する嵌合部４５が形成されていて、この嵌合部４５により、蓋体４は、キャップ本体３に対して嵌合により着脱自在に装着されることとなる。
【００１６】
また、蓋体３の天板部４２の注出口４１の縁部には、上方に延びる第二ガイド筒部４７と、下方に延びる第二シール筒部４８とがそれぞれ形成されていて、第二シール筒部４８の外面は、キャップ本体３の第一ガイド筒部３７の内面と密接するようになっている。
【００１７】
上記のようなキャップ本体３と蓋体４とにわたって、キャップ本体３の外筒部３３の上端外面（段部３５の下方）と蓋体４の嵌合部４５の下端外面とを連結するように、ヒンジ部６が一体的に形成されており、このヒンジ部６を介して、キャップ本体３に対して蓋体４が上下方向で回動可能に連結されている。なお、蓋体４の嵌合部４５の下部外面で、ヒンジ部６とは反対側に、外方に突出する鍔部４６が形成されている。
【００１８】
オーバーキャップ５には、図３（Ａ）に示すように、蓋体４の注出口（第二注出口）４１に挿入可能な栓状凸部５１が中央部下面側に形成された円板状の天板部５２に対して、天板部５２の外縁部から下方に垂下するようにスカート部５３が形成されており、スカート部５３の内面には、蓋体４の外周筒部４３の外面に形成されたネジ部４４と螺合するネジ部５４が形成されていて、このネジ部５４により、オーバーキャップ５は、蓋体４に対して螺合により着脱自在に装着されることとなる。
【００１９】
ところで、上記のようなキャップ本体３と蓋体４とオーバーキャップ５とからなる注出口付きキャップ１において、本実施例では、図１および図２に示すように、キャップ本体３には、天板部３２の周辺部で、中心対称位置の２箇所に、段部３５から内方に天板部３２を切り欠くように係止凹部３９が形成されている。一方、蓋体４には、キャップ本体３の段部３５に当接する嵌合部４５の内面側で、キャップ本体３の係止凹部３９と対応する位置に、嵌合部４５の内面から突出するように係止凸部４９が形成されている。
【００２０】
上記のような本実施例の注出口付きキャップ１によれば、容器内の内容物を開口径の大きな第一注出口３１から注出したい場合には、図４に示すような、キャップ１によって容器口部２が完全に密閉された状態から、蓋体４からオーバーキャップ５を取り外すことなく、蓋体４にオーバーキャップ５を螺着させたまま、鍔部４６を持って蓋体４を持ち上げることで、図５に示すように、ヒンジ部６を回動軸として蓋体４をキャップ本体３に対して回動させて、キャップ本体３の第一注出口３１を開口させることができる。
【００２１】
また、容器内の内容物を開口径の小さな第二注出口４１から注出したい場合には、図４に示すような、キャップ１によって容器口部２が完全に密閉された状態から、蓋体４に螺着されたオーバーキャップ５を、開栓方向に回動することで、図６に示すように、蓋体４からオーバーキャップ５を取り外して、蓋体４の第二注出口４１を開口させることができる。
【００２２】
そのように蓋体４の第二注出口４１を開口させる際に、オーバーキャップ５に加えられた回動力が蓋体４に作用しても、本実施例の注出口付きキャップ１では、図１および図２に示すように、キャップ本体３と蓋体４のそれぞれに周方向で係合する係止部（係止凹部３９と係止凸部４９）が形成されていることから、キャップ本体３に対して蓋体４が周方向に回動する（即ち、キャップ本体３と蓋体４とが周方向で相対的に変位する）のを確実に防止することができて、その結果、キャップ本体３と蓋体４とを連結するヒンジ部６が変形したり破損したりするような虞は全くない。
【００２３】
なお、本実施例では、図示していないが、キャップ本体３と容器口部２とにそれぞれ形成された係止突起同士をラチェット係合させることで、容器口部２に対するキャップ本体３の開栓方向への回転を抑制する廻り止め機構を構成していることから、オーバーキャップ５の回動による第二注出口４１の開口時に、オーバーキャップ５と共にキャップ本体３が開栓方向に回転して容器口部２の全体が開口してしまうようなことは確実に防止されることとなる。
【００２４】
以上、本発明の注出口付きキャップの一実施例について説明したが、本発明は、上記のような実施例にのみ限定されるものではなく、例えば、本発明の注出口付きキャップを適用できる容器については、実施例に示したようなチューブ容器に限らず、ボトル型容器や袋状容器等の他の容器に対しても適用可能なものである。また、容器口部に対するキャップ本体の装着については、実施例に示したような螺着に限られるものではなく、キャップ本体と蓋体のそれぞれに形成する係止部については、実施例に示したようなキャップ本体側の係止凹部と蓋体側の係止凸部の組み合わせに限られるものではない。さらに、容器口部とキャップ本体との廻り止め機構についても、実施例に示したようなラチェット機構に限らず、一方の側面に形成された凸部を他方の側面に形成された凹部に嵌合したり、一方の側面に形成された突起を他方の側面に密接させて係止するような機構にしても良い等、適宜に設計変更可能なものであることはいうまでもない。
【図面の簡単な説明】
【００２５】
【図１】本発明の注出口付きキャップの一実施例について、キャップ本体の注出口（第一注出口）を開けた状態を示す斜視図。
【図２】図１に示した注出口付きキャップの上方から見た状態を示す上面図。
【図３】図１に示した注出口付きキャップについて、見やすくするためにヒンジ部を切断して分解した状態での各部材（Ａ），（Ｂ），（Ｃ）の具体的な構造を示す縦断面図。
【図４】図１に示した注出口付きキャップの注出口を全て閉じた状態を示す縦断面図。
【図５】図３に示した注出口付きキャップのキャップ本体の注出口（第一注出口）を開けた状態を示す縦断面図。
【図６】図３に示した注出口付きキャップの蓋体の注出口（第二注出口）を開けた状態を示す縦断面図。
【符号の説明】
【００２６】
１        注出口付きキャップ
２        容器口部
３        キャップ本体
４        蓋体
５        オーバーキャップ
６        ヒンジ部
３１      第一注出口（キャップ本体の注出口）
３９      係止凹部（キャップ本体の係止部）
４１      第二注出口（蓋体の注出口）
４４      （蓋体の）ネジ部
４９      係止凸部（蓋体の係止部）
５１      栓状凸部（オーバーキャップの注出口を閉鎖する部分）
５４      （オーバーキャップの）ネジ部
【図１】
0004776020.tif 000002
【図２】
0004776020.tif 000003
【図３】
0004776020.tif 000004
【図４】
0004776020.tif 000005
【図５】
0004776020.tif 000006
【図６】
0004776020.tif 000007